(57)【要約】【課題】複数枚のシート状発光素子が小面積で設けられ、見たいシート状発光素子のみに自動給電できる効率的な表示装置を提供する。【解決手段】表示装置１は、発光部７を有する複数の発光シート体５が、逆Ｕ字形の保持体３に移動可能に保持されたバインダー状の構造である。保持体が挿通している発光シート体の孔の周囲には発光部に接続される配線が誘導コイル９を構成している。保持体の内部には複数の検出コイル１５が配置されている。電源を制御して各発光シート体の誘導コイルに誘導信号を与え、そのタイミングで保持体の内部にある各検出コイルに流れる検出信号を検出すれば発光シート体の位置が特定できる。第１保持体３ａの最上部にあるシートの発光部のみに給電して発光させる。【選択図】図４
2014002207.tif 000002
【特許請求の範囲】
【請求項１】
電源と、
案内孔と、前記電源に接続された発光部と、前記電源と前記発光部の間に設けられて前記案内孔の周囲に配置された誘導コイルを備えた複数の発光シート体と、
前記発光シート体の前記案内孔を貫通して前記発光シート体を移動可能に保持する保持体と、
前記保持体の内部に配置されて前記発光シート体の前記誘導コイルが発生する磁束によって検出電流が流れる複数の検出コイルと、
前記電源を制御することにより、前記発光シート体の前記誘導コイルに誘導信号を与えるとともに前記保持体の内部にある前記検出コイルに流れる検出電流を検出して前記発光シート体の位置を特定し、所定の表示位置にある前記発光シート体の前記発光部に給電して発光させる制御回路と、
を有することを特徴とする表示装置。
【請求項２】
前記発光シート体は、第１面と第２面を有しており、前記発光部は少なくとも前記第１面に設けられており、
前記保持体は、複数枚の前記発光シート体を前記第１面を上にした状態で重ねて保持する管状の第１保持部と、複数枚の前記発光シート体を前記第２面を上にした状態で重ねて保持する管状の第２保持部を有しており、前記第１保持部と前記第２保持部は前記発光シート体が移動できるように連続して構成されており、
前記検出コイルは、前記第１保持部と前記第２保持部に前記発光シート体を重ねて配置した際に、前記第１保持部と前記第２保持部の内部であって保持された前記発光シート体の前記誘導コイルに対応する各位置に配置されており、
前記制御部は、複数の前記発光シート体の前記各誘導コイルに誘導信号を与える毎に、前記第１保持部及び前記第２保持部の前記各検出コイルに流れる検出信号を検出することによって前記各発光シート体の位置を特定し、前記第１保持部が保持している前記発光シート部のうち最も上にある前記発光シート部の前記第１面にある前記発光部に表示信号を与えて発光させることを特徴とする請求項１記載の表示装置。
【請求項３】
前記発光シート体の前記誘導コイルに加える誘導信号と、前記発光シート体の前記発光部に加える表示信号は、共通の交流電源によって前記制御部が与えることを特徴とする請求項２記載の表示装置。
【発明の詳細な説明】
【技術分野】
【０００１】
本発明は、複数枚の発光シート体をバインダーのような綴じ具で開閉できるようにまとめ、見開き状態で上面を向いた発光部のみが自動的な通電により発光するように構成した表示装置に関するものである。
【背景技術】
【０００２】
無機ＥＬ装置のように、発光面が平面状であるシート状発光素子は多様な用途で用いられている。このようなシート状発光素子を表示装置として使用する場合には、情報量を重視して複数枚のシート状発光素子を並べて用いることもできるが、配置面積が大きくなり、取り扱いは不便になる。また、配置面積を小さく抑えるために１枚単位で使用する場合には、シート状発光素子を交換する際に配線や接続の組み換えに手間がかかり、また組み換え時に、シート状発光素子や配線、さらに配線の接続箇所等を破損する危険性があった。
【０００３】
このようなシート状発光素子を表示装置として使用する場合において、前述したような配置面積の拡大という問題を起こすことなく、装置としてコンパクトな状態で十分な表示情報量を得るため、下記特許文献１には、シート状発光素子を本のように綴じた構造の表示システムの発明が開示されている。この発明によれば、薄い液晶表示装置が複数枚重ねられており、その１辺が本のように綴じられている。同文献の図４に示す表示システムでは、各液晶表示装置が本のように綴じられており、各液晶表示装置は充電式の電池を内蔵しており、着脱可能となっている。また、同文献の図５示す表示システムでは、表示システム側の接続部と、各液晶表示装置の電極端子とが、コネクタによって接続及び取外し可能に結合されており、このコネクタを介して情報、制御信号、電源等が入出力される。
【先行技術文献】
【特許文献】
【０００４】
【特許文献１】特開平４−３５５７８６号公報
【発明の概要】
【発明が解決しようとする課題】
【０００５】
特許文献１に記載の表示システムでは、シート状の液晶表示装置が本のように綴じられているために表示素子の配置面積を小さく抑える目的は達していると言えるが、シート状の表示素子を開閉自在に重ねてまとめるための構造が複雑であり、また、すべての表示素子に電源や制御信号を供給し、又はすべての表示素子に電池を設ける必要があり、必要な頁以外にも常時電源を供給するか、又は電源を備えつけておく必要があって、構成上又は給電上の無駄が大きかった。
【０００６】
本発明は、以上説明したような課題を解決することを目的としており、小さな配置面積かつコンパクトな構成で複数枚のシート状発光素子を設けることができるとともに、見たいシート状発光素子のみに自動的に給電できるために電力消費上の無駄がない効率的な表示装置を提供することを目的としている。
【課題を解決するための手段】
【０００７】
請求項１に記載された表示装置は、
電源と、
案内孔と、前記電源に接続された発光部と、前記電源と前記発光部の間に設けられて前記案内孔の周囲に配置された誘導コイルを備えた複数の発光シート体と、
前記発光シート体の前記案内孔を貫通して前記発光シート体を移動可能に保持する保持体と、
前記保持体の内部に配置されて前記発光シート体の前記誘導コイルが発生する磁束によって検出信号が流れる複数の検出コイルと、
前記電源を制御することにより、前記発光シート体の前記誘導コイルに誘導信号を与えるとともに前記保持体の内部にある前記検出コイルに流れる検出信号を検出して前記発光シート体の位置を特定し、所定の表示位置にある前記発光シート体の前記発光部に給電して発光させる制御回路と、
を有することを特徴としている。
【０００８】
請求項２に記載された表示装置は、請求項１記載の表示装置において、
前記発光シート体は、第１面と第２面を有しており、前記発光部は少なくとも前記第１面に設けられており、
前記保持体は、複数枚の前記発光シート体を前記第１面を上にした状態で重ねて保持する管状の第１保持部と、複数枚の前記発光シート体を前記第２面を上にした状態で重ねて保持する管状の第２保持部を有しており、前記第１保持部と前記第２保持部は前記発光シート体が移動できるように連続して構成されており、
前記検出コイルは、前記第１保持部と前記第２保持部に前記発光シート体を重ねて配置した際に、前記第１保持部と前記第２保持部の内部であって保持された前記発光シート体の前記誘導コイルに対応する各位置に配置されており、
前記制御部は、複数の前記発光シート体の前記各誘導コイルに誘導信号を与える毎に、前記第１保持部及び前記第２保持部の前記各検出コイルに流れる検出信号を検出することによって前記各発光シート体の位置を特定し、前記第１保持部が保持している前記発光シート部のうち最も上にある前記発光シート部の前記第１面にある前記発光部に表示信号を与えて発光させることを特徴としている。
【０００９】
請求項３に記載された表示装置は、請求項２記載の表示装置において、
前記発光シート体の前記誘導コイルに加える誘導信号と、前記発光シート体の前記発光部に加える表示信号は、共通の交流電源によって前記制御部が与えることを特徴としている。
【発明の効果】
【００１０】
請求項１に記載された表示装置によれば、重ねられた複数の発光シート体を保持体に沿って移動させ、任意の頁で開いて見開き状にすると、並んで見える２枚の発光シート体の上面側に表れた発光部のみが給電を受けて発光し、その他の見えない状態にある発光シート体の発光部は給電されないので発光しない。小さな配置面積かつコンパクトな構成で複数枚の発光シート体を設けることができ、見るために開いた頁のみが光るので電力消費の無駄がなく効率的である。
【００１１】
請求項２に記載された表示装置によれば、第１保持部で第１面を表にして重なっている発光シート体を、保持体に沿って第２保持部の側に移動させることにより、第２面を表にした状態で第２保持部に保持させた状態とすることができるし、この逆に移動させることもできる。すなわち、連続する第１保持部及び第２保持部に所定の順序で保持されている複数の発光シート体は、任意の頁で開くことにより、所望の配分で第１保持部及び第２保持部の２箇所に分けて保持させることができる。第１保持部又は第２保持部に保持されている各発光シート体の各誘導コイルは、第１保持部又は第２保持部の各検出コイルに一対一で相対するように配置されるので、複数の発光シート体の誘導コイルに順次誘導信号を与えるとともに、その都度、第１保持部及び第２保持部の各検出コイルに検出信号が流れたか否かを検出すれば、各発光シート体がいずれの保持部のいずれの検出コイルの位置にあるかが判明するので、複数の発光シート体の各位置を特定することができる。この場合、発光シート体が第１面のみに発光部を有する片面発光タイプであれば、第１保持部が保持している発光シート体のうち最も上にある発光シートに給電し、表に現れている第１面の発光部のみに表示信号を与えて発光させることができる。また、発光シート体が第１面及び第２面の両面に発光部を有する両面発光タイプであれば、さらに、第２保持部が保持している発光シート部のうち最も上にある発光シートの第２面の発光部にも表示信号を与えれば、見開きにした２枚の発光シート体の隣り合う２面の発光部のみを同時に発光させることができる。
【００１２】
請求項３に記載された表示装置によれば、発光シート体の誘導コイルに加える位置検出用の誘導信号と、発光シート体の発光部に加える駆動用の表示信号を、共通の交流電源から得ているので、発光させるべき発光シート体の検出及び発光駆動の２つの目的のために個別の電源をそれぞれ設ける必要がなく、単一の交流電源による簡素な構成で目的を達することができる。
【図面の簡単な説明】
【００１３】
【図１】本発明の一実施形態である表示装置の斜視図である。
【図２】分図（ａ）は前記表示装置における発光シート体の構造の概略及び同表示装置と電源の接続状態を示す図、分図（ｂ）は分図（ａ）中に示した保持体の切断面を拡大して示す図である。
【図３】前記表示装置の一部を破断して示した正面図である。
【図４】前記表示装置の電気的構成を示す回路図である。
【図５】前記表示装置において発光シート体を制御する制御部の構成を示す機能ブロック図である。
【図６】前記表示装置における制御動作を説明する駆動タイミング図である。
【図７】前記表示装置における制御手順を説明する流れ図である。
【発明を実施するための形態】
【００１４】
図１〜図７を参照して実施形態の表示装置を説明する。
図１に示すように、本実施形態の表示装置１は、矩形平板状の基台２と、この基台２の上面中央に設けられた保持体３と、この保持体３に保持された複数枚の発光シート体５を備えており、これら発光シート体５は図１には示さない制御部１０によって駆動されるようになっている。保持体３はＵ字型であり、２本が基台２に設けられている。２本の保持体３は、それぞれ下端部が基台２に取り付けられており、所定間隔をおいて互いに平行に配置されている。これら２本の保持体３には、複数枚の同一矩形の発光シート体５が移動可能に取り付けられている。すなわち、各発光シート体５の一縁辺には所定間隔をおいて２個の案内孔６が形成されており、２本の保持体３は各案内孔６を挿通していて、各発光シート体５はこの保持体３に沿って基台２上の一方の位置から他方の位置へ移動させることができ、基台２上の何れかの位置に積載しておくことができる。すなわち、複数枚の発光シート体５は、その一縁辺がバインダーで綴じられた本のような体裁になっており、基台２の上において所望の頁で開くことができるように構成されている。
【００１５】
図２（ａ）に示すように、この表示装置１の発光シート体５は、可撓性のシートの表面に発光部７である発光素子を取り付けたシート状の部材である。発光シート体５は２つの面を有しており、第１面を表面とし、第２面を裏面とすれば、本実施形態では発光部７は第１面である表面のみに設けられている。発光部７を構成する発光素子は無機ＥＬであり、その配線はシート外に導出されて後述する制御部１０及び交流電源１１に接続されている。なお、発光部７の発光素子は発光原理を特に限定するものではなく、その他の表示素子、例えば有機ＥＬや液晶表示装置でもよい。また図１を参照して先に説明したように、発光シート体５の一縁辺には保持体３が挿通するための貫通した案内孔６が２個形成されているが、図２（ａ）においては一方の案内孔６のみを表示している。図２（ａ）及び（ｂ）に示すように、発光シート体５の一方の案内孔６にはブシュ状（又は円筒状）のフェライトコア８が設けられており、このフェライトコア８の貫通孔が前記案内孔６と一致している。そして発光部７と交流電源１１を接続する配線の一部はフェライトコア８の周囲で適当回数だけ巻装されて誘導コイル９を構成している。
【００１６】
図２（ｂ）及び図３に示すように、発光シート体５のフェライトコア８の中心孔及びこのフェライトコア８が設けられた一方の案内孔６には一方の保持体３が貫通している。また、これらの図には示さないが、発光シート体５の他方の案内孔６にも他方の保持体３が貫通している。各保持体３は、前述した通り全体としてＵ字型を呈しており、その２本の直線部の一方が、複数枚の発光シート体５を第１面を上にした状態で重ねて保持する第１保持部３ａであり、他方が、複数枚の発光シート体５を第２面を上にした状態で重ねて保持する第２保持部３ｂであって、第１保持部３ａと第２保持部３ｂは湾曲した形状の連結部３ｃで一体に連結されている。従って、発光シート体５は保持体３に沿って第１保持部３ａと第２保持部３ｂの間を任意に移動させることができる。図３に示すように、発光シート体５は第１保持部３ａに設定すれば発光部７が表側（前面）に表れ、第２保持部３ｂに設定すれば発光部７が裏側（後面）になって隠れる。すなわち、図１に示すように、第１保持部３ａは発光シート体５の発光する前面を表に出す意味において前面側（発光側）の保持部であり、第２保持部３ｂは発光シート体５の発光する前面を後面側にして格納する意味において後面側（格納側）の保持部である。なお、この連結部３ｃは第１及び第２保持部３ａ，３ｂに対して着脱可能であり、連結部３ｃを外せば発光シート体５を保持体３から外したり、加えたりすることができる。
【００１７】
図２（ｂ）及び図３に示すように、発光シート体５のフェライトコア８の中心孔及びこのフェライトコア８が設けられた一方の案内孔６を貫通する一方の保持部３ａ又は３ｂの内部には、検出コイル１５が所定間隔で複数個設けられている。各検出コイル１５から導出された配線１６は保持体３の外に導出されて後述する制御部１０及び交流電源１１に接続されている。これら検出コイル１５には、発光シート体５の誘導コイル９が発生する磁束によって電流が誘起され、この電流は発光シート体５の存在を確認するための検出信号として制御部１０が検出する。従ってこれら検出コイル１５は、第１保持部３ａ又は前記第２保持部３ｂにすべての発光シート体５をそれぞれ重ねて配置した際に、保持された発光シート体５の各誘導コイル９に対応する配置及び間隔で設置されている。
【００１８】
本実施形態の表示装置１は発光シート体５をＮ枚有しており、これに対応して第１保持部３ａと第２保持部３ｂの各内部には、重ねられた発光シート部の各誘導コイル９の間隔と対応するように、それぞれＮ個の検出コイル１５が配置されている。図３は実施形態における図示の一例であり、第１保持部３ａと第２保持部３ｂの各内部にそれぞれ５個の検出コイル１５が配置され、第２保持部３ｂには５枚の発光シート体５が配置され、第１保持部３ａには第２保持部３ｂの５枚の発光シート体５から１枚が移動して配置された状態を表している。
【００１９】
なお、実施形態態では２本の保持体３が発光シート体５の２個の案内孔６に挿通しているが、上述した検出コイル１５が設けられているのは、誘導コイル９が設けられたフェライトコア８を挿通する一方の保持体３のみである。他方の保持体３には検出コイル１５はないが、発光シート体５が移動する際の案内機能を有している。
【００２０】
図４は表示装置１を駆動するための制御部１０及び交流電源１１、その他の電気的構成を示している。図４は実施形態における図示の他の例であり、発光シート体５が６枚あることを前提として一枚の発光シート体５を例示するとともに、第１保持部３ａと第２保持部３ｂの各内部にそれぞれ６個の検出コイル１５が配置されている状態を示している。
【００２１】
図４に示すように、この表示装置１の制御部１０は交流電源１１を有しており、さらにＮ枚の発光シート体５を順次切り替えて制御するシート切替器１７を有している。すなわち、制御部１０の交流電源１１からの配線の一方１８ａは、このシート切替器１７及び発光シート体５の誘導コイル９を介して発光部７の一接続端子に接続されており、同配線の他方１８ｂは発光部７の他接続端子に接続されている。制御部１０は、このシート切替器１７に制御信号を送って各発光シート体５を順次選択していき、選択時には交流電源１１を用いて各誘導コイル９に所定の誘導信号（サーチ信号）を与えるように構成されている。
【００２２】
図４に示すように、制御部１０は、第１保持体３ａのＮ個の検出コイル１５（Ｆ１…Ｆｎ）を順次切り替えて検出信号を読み取る第１切替器１９と、第２保持部３ｂのＮ個の検出コイル１５（Ｒ１…Ｒｎ）を順次切り替えて検出信号を読み取るための第２切替器２０を備えている。第１切替器１９は、第１保持体３ａの各検出コイル１５（Ｆ１…Ｆｎ）を制御部１０に選択的に接続するように構成されており、その出力は抵抗Ｒの両端の電位差として比較器Ｃが読み取り、制御部１０に与えるように構成されている。第２切替器２０の構成も同様である。
【００２３】
制御部１０によるシート切替器１７と第１切替器１９と第２切替器２０の操作は同期して行なわれるように構成されている。すなわち、制御部１０は、最初にシート切替器１７で一の発光シート体５を選択して誘導信号（サーチ信号）を与えると、そのタイミングで第１切替器１９によって第１保持体３ａの各検出コイル１５（Ｆ１…Ｆｎ）を順次選択して検出信号が発生しているかを検出し、次に同タイミング内で第２切替器２０によって第２保持部３ｂの各検出コイル１５（Ｒ１…Ｒｎ）を選択して検出信号が発生しているかを検出する。次に制御部１０は、シート切替器１７で次の発光シート体５を選択して誘導信号を与えるとともに、同様の動作で第１切替器１９及び第２切替器２０を操作して各検出コイル１５から検出信号を検出していく。
【００２４】
図５は、表示装置１における制御部１０の機能ブロック図である。この制御部１０において、発光シート体５を切り替えるシート切替器１７の制御と、シート切替器１７を介して発光シート体５に誘導信号（サーチ信号）と表示信号（駆動信号）を与える高電圧発生回路（交流電源１１）の制御はＣＰＵ２１が行なう。また、制御部１０は、第１切替器１９及び第２切替器２０を切替制御する制御回路２２と、第１切替器１９及び第２切替器２０から入力された検出信号を受け入れてＡ／Ｄ変換するＡ／Ｄ変換器２３を備えており、これらもＣＰＵ２１によって統括的に制御される。ＣＰＵ２１によるシート切替器１７と第１切替器１９と第２切替器２０の操作は、プログラムメモリー２４に予め格納されたプログラムに従い、タイマー２５からの信号を基準に同期して行なわれる。なお、制御部１０にはＯＮ／ＯＦＦ信号が入力される入力部２６も設けられている。
【００２５】
図６は表示装置１の制御動作を説明する駆動タイミング図である。この表示装置１では、複数枚の発光シート体５が保持体３で綴じられて本のような状態になっており、基台２の上で発光シート体５を所望の頁で開いた時に、第１保持体３ａの最上部にある発光シート体５の表面に表れた発光部７のみに通電して表示を行なうようになっている。本実施形態では、第１保持体３ａに重なった発光シート体５のうち、最上部にある発光シート体５の位置が表示位置となっている。この表示位置にある発光シート体５の発光部７だけを発光駆動するため、制御部１０は周期的に第１保持体３ａの最上部にある発光シート体５の検出動作を行なうとともに、１周期内における検出動作に要する時間（スキャン時間）以外の時間を表示位置にある発光シート体５に給電するための時間（点灯時間）として使用する。
【００２６】
図６中には上から３段のタイミング図（ｃ）、（ａ）、（ｂ）が表示されているが、その内の下段２列のタイミング図（ａ）、（ｂ）は、制御部１０が１周期の中で行なう制御動作の波形であり、その上段の図（ａ）はＣＰＵ２１の制御によりシート切替器１７を切り替えながら高電圧発生回路（交流電源１１）が各発光シート体５に順次与える誘導信号（サーチ信号）のパルスを示している。一例であるが、各発光シート体５に加えられる誘導信号のパルスは長さが１０ｍｓｅｃ、間隔が１ｍｓｅｃである。この誘導信号のパルスが各発光シート体５に加えられている間に、ＣＰＵ２１はタイマー２５によりタイミングを計って第１切替器１９を用いて第１保持体３ａの各検出コイル１５（Ｆ１…Ｆｎ）を順次選択して検出信号が発生しているか否かを検出し、次に第２切替器２０によって第２保持体３ｂの各検出コイル１５（Ｒ１…Ｒｎ）を選択して検出信号が発生しているか否かを検出する。次に制御部１０は、シート切替器１７で次の発光シート体５を選択して誘導信号を与えるとともに、同様の動作で第１切替器１９及び第２切替器２０を操作して検出信号を検出する。このようにして、シート有無の確認、すなわち発光シート体５が２つの保持部３ａ，３ｂの各検出コイル１５（Ｆ１…Ｆｎ，Ｒ１…Ｒｎ）の各位置に存在するか否かの確認を行なっていく。
【００２７】
図６中に示した下段２列のタイミング図（ａ）、（ｂ）のうち、その下段の図（ｂ）は、制御部１０による１周期の制御動作において、表示位置に存在が確認された発光シート体５に高電圧発生回路（交流電源１１）から加えられる表示信号を示している。一例であるが、点灯時間は１ｓｅｃ程度である。この点灯時間が終了したら、制御部１０による制御は次の周期に入って同様の動作を繰り返す。
【００２８】
図６中に示した最上段のタイミング図（ｃ）は、制御部１０による各周期の制御動作の中で各発光シート体５に高電圧発生回路（交流電源１１）から与えられる誘導信号（サーチ信号）と、表示位置にある発光シート体５が見つかった場合に当該発光シート体５に与えられる表示信号を示したものである。このように、本実施形態では、表示位置にある発光シート体５を探すために各発光シート体５のスキャンと、発見された表示すべき発光シートの発光駆動を共通の交流電源１１によって行っているため、発光させるべき発光シート体５の検出及び発光駆動という２つの目的のために個別の電源をそれぞれ設ける設備の冗長性がなく、簡素な構成で目的を達することができる効果がある。
【００２９】
本実施形態の発光シート体５が６枚あるとすれば、スキャン時間は（１０＋１）×６＝６６ｍｓｅｃである。このスキャン時間には、表示位置にある発光シート体５は表示信号が与えられておらず消灯しているが、点灯時間が１ｓｅｃ（＝１０００ｍｓｅｃ）とスキャン時間よりもはるかに長いため、表示装置１を視認している人にはスキャン時間に発光部７が消灯しているとの認識はなく、表示上の問題は生じない。
【００３０】
図７は本実施形態の表示装置１における制御手順を説明する流れ図である。この図を参照し、以上説明した構成及び作用を前提とした制御動作の流れをまとめて説明する。なお、以下の説明では、発光シート体５の枚数はＮ枚であり、第１保持体３ａと第２保持体３ｂには検出コイル１５がそれぞれＮ個あるものとする。そして前述した通り、各保持部３ａ及び３ｂにある各Ｎ個の検出コイル１５は、それぞれ下から順にＦ１〜Ｆｎ及びＲ１〜Ｒｎと称するものとする。
【００３１】
図７のＳ１に示すように本装置の動作が開始されると、Ｓ２に示すように制御部１０は交流電源１１の状態を確認する。ＯＮである場合（Ｓ２、ＹＥＳ）には、一枚目の発光シート体５から順にサーチ信号を与える動作を行なうため、まずＣＰＵ２１において発光シート体５の枚数を管理するレジスタのカウント数ｎを０として枚数の初期設定を行う（Ｓ３）。次にカウント数ｎに１を加算する動作を行ない（Ｓ４）、ｎ（＝１）枚目の発光シート体５から駆動を始める。すなわち、高電圧発生回路（交流電源１１）を用い、図６（ａ）に示すような誘導信号（サーチ信号）をＮ枚の中の１枚目の発光シート体５に加える（Ｓ５）。制御部１０は、１枚目の発光シート体５に誘導信号を加えている間、第１切替器１９を順次切り替えて第１保持体３ａの各検出コイル１５（Ｆ１〜Ｆｎ）に検出信号が発生しているかを確認し、次に第２切替器２０を順次切り替えて第２保持体３ｂの各検出コイル１５（Ｒ１〜Ｒｎ）に検出信号が発生しているかを確認する（Ｓ６乃至Ｓ７）。検出信号が検出されたところで、すなわちＳ６乃至Ｓ７の何れかにおいてＹＥＳとなったところで、制御部１０はＣＰＵ２１が有するメモリに、第１保持体３ａの各検出コイル１５（Ｆ１乃至Ｆｎ）の各位置又は第２保持体３ｂの各検出コイル１５（Ｒ１乃至Ｒｎ）の各位置の何れかを１枚目の発光シート体５が存在する位置を示す位置情報として書き込む（Ｓ８乃至Ｓ９の「位置記憶」）。
【００３２】
このように特定の発光シート体５の「位置記憶」が特定の検出コイル１５の位置について行われた場合、次のような状況が生じていることを意味する。第１又は第２保持体３ａ又は３ｂにおいて、ある特定の検出コイル１５が設けられている位置に当該発光シート体５が配置されており、当該発光シート体５の誘導コイル９の中に当該検出コイル１５が存在している。このような状態において、当該発光シート体５の誘導コイル９には誘導信号（サーチ信号）が供給されているので、これによって誘導コイル９には磁束が生じ、この磁束が当該検出コイル１５に検出信号を誘起させている。この検出信号の電流を制御部１０が検出することにより、当該発光シート体５が当該保持体の当該検出コイル１５の位置に存在することが確認される。
【００３３】
このようにして１枚目の発光シート体５の位置の確認作業が終了すると（Ｓ６〜Ｓ９）、制御部１０は位置の確認作業が終了した発光シート体５の番号を確認するため、確認作業が終了した発光シート体５の番号（ｎ）がＮ番目であるか否かを調べる（Ｓ１０）。その発光シート体５がＮ番目であり、全ての発光シート体５の位置検出が終了したとの結果（Ｓ１０、ＹＥＳ）とならない限り（Ｓ１０、ＮＯ）、カウント数ｎ（＝１）に１を加算する動作を行ない（Ｓ４）、次に確認するべきｎ（＝２）枚目の発光シート体５の位置の確認作業を始める。以後同様に、制御部１０は、２枚目の発光シート体５に誘導信号を加えている間、第１切替器１９と第２切替器２０を順次切り替えて各検出コイル１５（Ｆ１〜Ｆｎ，Ｒ１〜Ｒｎ）に検出信号が発生しているかを確認し（Ｓ６乃至Ｓ７）、検出信号が検出された検出コイル１５（Ｆ１〜Ｆｎ，Ｒ１〜Ｒｎ）の位置を２枚目の発光シート体５が存在する位置を示す位置情報として書き込む（Ｓ８乃至Ｓ９の「位置記憶」）。以後、同様にＮ枚目の発光シート体５まで、それぞれ位置を確認する作業を行なう。
【００３４】
全ての発光シート体５の位置検出が終了すると（Ｓ１０、ＹＥＳ）、ＣＰＵ２１はＮ枚の発光シート体５の各位置の中から表示位置にある発光シート体５を検出し（Ｓ１１）、サーチ信号を止めて当該発光シート体５に表示信号（駆動信号）を与えて一定時間だけ発光、点灯させる（Ｓ１２）。ここで表示位置は、前述した通り第１保持体３ａに存在する発光シート体５の中で最上部にある発光シート体５の位置であり、一定の発光時間とは図６を参照して説明した前述の例では例えば１秒である。
【００３５】
１枚目からＮ枚目の発光シート５の一連の確認作業において（Ｓ６〜Ｓ９）、ある発光シート体５が何れの検出コイル１５の位置にも発見されなかった場合（Ｓ７，ＮＯ）には、当該頁は第１保持体３ａと第２保持体３ｂの何れにも存在しないこととなり、使用者が当該頁を繰って移動させている途中であると判断できる。この場合、サーチ信号を停止し（Ｓ１３）、前回の一連の制御手順において表示位置に発見された発光シート体５がある場合には（Ｓ１４、ＹＥＳ）、前回において表示位置にあると判断された発光シート体５（Ｓ１１）に表示信号（駆動信号）を与えて一定時間だけ発光、点灯させる（Ｓ１５）。前回において表示位置にあると判断された発光シート体５が存在しない場合（Ｓ１４、ＮＯ）は、不良として処理する（Ｓ１６）。
【００３６】
本実施形態では、表示位置にある発光シート体５のみを発光させるものとし、その表示位置とは、第１保持体３ａに保持された発光シート体５のうち、最上部の発光シート体５の位置であるものとした。連続する第１保持体３ａ及び第２保持体３ｂに所定の順序で保持されているｎ枚の発光シート体５は、任意の頁で開くことにより、所望の配分で第１保持体３ａ及び第２保持体３ｂの２箇所に分けて保持される。第１保持体３ａ又は第２保持体３ｂに保持されている各発光シート体５の各誘導コイル９は、第１保持体３ａ又は第２保持体３ｂの各検出コイル１５に一対一で相対するように配置されるので、前述したような手順で、複数の発光シート体５の誘導コイル９に順次誘導信号を与えるとともに、その都度、第１保持体３ａ及び第２保持体３ｂの各検出コイル１５に検出信号が流れたか否かを検出すれば、各発光シート体５がいずれの保持体３ａ，３ｂのいずれの検出コイル１５の位置にあるかが判明する。これによってＮ枚の発光シート体５の各位置を特定できるので、前述した各ステップＳ８乃至Ｓ９で記憶したような位置情報を得ることができる。制御部１０は、この位置情報に従って、第１保持体３ａが保持している発光シート体５のうち最も上の表示位置にある発光シート体５の発光部７のみに表示信号を与えて発光させることができる。
【００３７】
なお、本実施形態の変形例として、発光シート体５が第１面及び第２面の両面に発光部７を有する両面発光タイプであるものとした場合には、さらに、第２保持体３ｂが保持している発光シート体５のうち最も上である第２の表示位置の発光シート体５にも給電し、その第２面にある発光部７にも表示信号を与えるようにしてもよい。この場合、見開きにした２枚の発光シート体５，５の隣り合う２面の発光部７，７が同時に発光し、その他の発光シート体５の発光部７は発光しないことになる。
【００３８】
また、本実施形態では、各制御サイクル毎に１枚目からＮ枚目までのＮ枚の発光シート体５について位置を確認していたが、各制御サイクル毎の確認手順において、全発光シート体５についての位置確認が終わっていなくても、ある発光シート体５が表示位置にあることが確認されれば、その時点で検出コイル１５の切り替えによる検出を中断し、直ちに表示位置にある発光シート体５を点灯してもよい。この場合には、図６（ａ）で示したスキャン時間（図示例では例えば１０ｍｓ）を短縮化することができる。
【００３９】
ここで、発光シート体５の誘導コイル９に加える誘導信号（サーチ信号）と、発光シート体５の発光部７に加える表示信号（駆動信号）は、図６（ｃ）で説明したように共通の交流電源１１である高電圧発生回路から得ているので、発光させるべき発光シート体５の検出及び発光駆動の２つの目的のために個別の電源をそれぞれ設ける必要がなく、単一の交流電源１１による簡素な構成で目的を達することができる。
【００４０】
以上説明したように、本実施形態の表示装置１によれば、重ねて配置した複数枚の発光シート体５を任意の頁で開いて見開き状にすると、一方の保持体から他方の保持体に移動させて開いた１枚の発光シート体５の表面側の発光部７のみが給電を受けて発光し、又は変形例によれば並んで見える２枚の発光部７，７のみが給電を受けて発光するが、いずれにしてもその他の見えない状態にある発光シート体５の発光部７は給電されないので発光しない。このように、本実施形態の表示装置１によれば、小さな配置面積かつコンパクトな構成で複数枚の発光シート体５を一装置内に設けることができ、見るために開いた頁のみが光るので電力消費上の無駄がなく効率的であるという効果が得られる。
【００４１】
以上説明したように、この表示装置１は自発光タイプであり、ユーザーが必要に応じて捲った頁の発光部７のみが発光する節電タイプでもあるため、多様な用途・目的に使用することができる。例えば、比較的暗いレストラン等の店内で使用するテーブル設置用のメニュー、カレンダーその他暗い場所で見る必要がある表示物一般に広く適用することができる。特に、レストランのメニューとすれば、保持体３の連結部３ｃを外すことによって発光シート体５を保持体３から外したり加えたりすることができるので便利である。
【００４２】
なお、本実施形態では発光シート体５の発光部７を制御部１０からの表示信号で駆動するものとしたが、発光部７は表示部の語義を含み、また表示信号は発光信号の語義も含む。すなわち、発光シート体５の駆動の結果、何らかの情報が表示されてもよいし、単に光源として単色又は多色の光が発せられる結果となってもよい。
【００４３】
また、本実施形態の表示装置１は矩形平板状の基台２を有し、机上等に載置して使用できるものであったが、必ずしも基台２は必要ではなく、複数枚の発光シート体５が保持体に沿って移動できるようになっていればよい。また、保持体の形状もＵ字形に限るものではなく、用途に応じて種々の形状が考えられる。
【符号の説明】
【００４４】
１…表示装置
２…基台
３…保持体
３ａ…第１保持体
３ｂ…第２保持体
５…発光シート体
７…発光部
８…フェライトコア
９…誘導コイル
１０…制御部
１１…交流電源（高電圧発生回路）
１５…検出コイル
１７…シート切替器
１９…第１切替器
２０…第２切替器
２１…ＣＰＵ
２２…制御回路
【図１】
2014002207.tif 000003
【図２】
2014002207.tif 000004
【図３】
2014002207.tif 000005
【図４】
2014002207.tif 000006
【図５】
2014002207.tif 000007
【図６】
2014002207.tif 000008
【図７】
2014002207.tif 000009